(57)【要約】【課題】首周りの狭い衣服であっても型崩れを起こさないように円滑に首穴に挿入できるハンガーを提供すること。【解決手段】衣服を掛けるためのハンガー１は、衣服のショルダー部を支持するための主アーム３１，３２と、該主アームと協働して衣服のショルダー部を支持するための補助アーム５とを有している。補助アーム５は、主アーム３１，３２の先端側に回動自在に延設されているので、ハンガー全体の長さが補助アームの回転動作に伴って拡縮する。このようにハンガー全体の長さを自在に拡縮できるように構成することにより、首周りの狭い衣服（Ｔシャツ等）であっても襟元部分を引き伸ばすことなく、ハンガーを首穴から挿入してショルダー部をアームで支えることが可能になる。また、補助アームは主アームと協働して衣服のショルダー部を支持するようになっているので、型崩れが生じないように衣服を形良く支えることが可能になる。【選択図】図１
0003111117.tif 000002
【実用新案登録請求の範囲】
【請求項１】
衣服を掛けるためのハンガーであって、
衣服のショルダー部を支持するための主アームと、
ハンガー全体の長さを自在に拡縮できるように設けられ、前記主アームと協働して前記衣服のショルダー部を支持するための補助アームと、を有することを特徴とするハンガー。
【請求項２】
衣服を掛けるためのハンガーであって、
衣服のショルダー部を支持するための主アームと、
前記主アームの長さを補うための補助アームとを有しており、
前記補助アームは前記主アームに対して回動自在に設けられており、その結果、ハンガー全体の長さが、前記補助アームの回動に伴って拡縮するようになっていることを特徴とするハンガー。
【請求項３】
衣服を掛けるためのハンガーであって、
衣服のショルダー部を支持するための主アームと、
前記主アームの先端側に延設され、該主アームと協働して衣服のショルダー部を支持するための細長の補助アームとを有しており、
前記補助アームは前記主アームに対して回動自在に設けられており、その結果、ハンガー全体の長さが、前記補助アームの回動に伴って拡縮するようになっていることを特徴とするハンガー。
【請求項４】
ハンガー全体の長さが最大の状態で該ハンガーの上方から見て、前記補助アームの一部と前記主アームの一部が重なり合う重合部Ｘと、前記補助アームの残部から成る非重合部Ｙとの比率が、ほぼＹ／Ｘ＝１／２或いはＹ／Ｘ＜１／２になるように、前記補助アームが設けられていることを特徴とする請求項１乃至３の何れかに記載のハンガー。
【請求項５】
前記主アームは２つ設けられ、線対象となる方向へ延出しており、
一の主アームの先端と、他の主アームの先端との間の距離が、ほぼ３２ｃｍとなるように形成されていることを特徴とする請求項１乃至３の何れかに記載のハンガー。
【考案の詳細な説明】
【技術分野】
【０００１】
本考案は、衣服を掛けるためのハンガーに関する。
【背景技術】
【０００２】
従来より、衣服を掛けて吊下げておくための器具として、図６に示すようなハンガーが用いられている。このようなハンガーは、シワがつかないように衣服を保存する際や、洗濯した衣服を天日乾燥させる際に用いられている。そして、この従来のハンガーには、以下に述べる問題点があった。
【０００３】
上半身用の衣服の中には首周り寸法（首を通す穴の径）が小さいものがあり、その例としては、たとえばタートルネックタイプのセーターやＴシャツ等が挙げられる。このような首周りの狭い衣服をハンガーに掛ける際には、首穴からハンガーを挿入して、該ハンガーのアームに衣服のショルダー部を引っ掛けるようにする。
【０００４】
ところが、ハンガーの横幅（図６の寸法ｂ）は、Ｔシャツ等の首穴の径と比較すると遥かに大きいため、そのままの状態では、ハンガーを十分に首穴に挿入することができない。そのため、従来のハンガーにＴシャツ等を掛ける際には、衣服の襟元部分を引っ張って、ハンガーの全体が首穴に入り易いように、首穴の径を広げる必要があった。しかしながら、ハンガーに掛けるにあたって衣服の襟元部分を引き伸ばすと襟元の張りがなくなって、衣服に型崩れが生じる。よって、従来のハンガーには、衣服（特に首周りの狭い衣服）の外観を悪化させるといった問題点があった。
【０００５】
なお、ハンガーに掛ける際の衣服の型崩れを防止するため、ハンガーの横幅を小さくすることも検討された。しかしながら、そのようにハンガーを形成した場合には、衣服の首穴にハンガーを通し易くはなるものの、衣服のショルダー部を支持する部分（すなわちアームの寸法）が短くなってしまう。そのため、この場合には衣服を形良く掛けることができないため、結果として、衣服を掛けている間に型崩れが生ずるおそれがある。
【考案の開示】
【考案が解決しようとする課題】
【０００６】
そこで、上述した問題点に鑑み、本考案の目的は、従来と同様に衣服を良好に支持することが可能であって、首周りの狭い衣服であっても型崩れを起こさないように円滑に首穴に挿入できるハンガーを提供することにある。
【課題を解決するための手段】
【０００７】
このような目的は、下記（１）〜（５）記載の減圧弁によって達成される。
【０００８】
（１）  衣服を掛けるためのハンガーであって、
衣服のショルダー部を支持するための主アームと、
ハンガー全体の長さを自在に拡縮できるように設けられ、前記主アームと協働して前記衣服のショルダー部を支持するための補助アームと、を有することを特徴とするハンガー。
【０００９】
（２）  衣服を掛けるためのハンガーであって、
衣服のショルダー部を支持するための主アームと、
前記主アームの長さを補うための補助アームとを有しており、
前記補助アームは前記主アームに対して回動自在に設けられており、その結果、ハンガー全体の長さが、前記補助アームの回動に伴って拡縮するようになっていることを特徴とするハンガー。
【００１０】
（３）  衣服を掛けるためのハンガーであって、
衣服のショルダー部を支持するための主アームと、
前記主アームの先端側に延設され、該主アームと協働して衣服のショルダー部を支持するための細長の補助アームとを有しており、
前記補助アームは前記主アームに対して回動自在に設けられており、その結果、ハンガー全体の長さが、前記補助アームの回動に伴って拡縮するようになっていることを特徴とするハンガー。
【００１１】
（４）  ハンガー全体の長さが最大の状態で該ハンガーの上方から見て、前記補助アームの一部と前記主アームの一部が重なり合う重合部Ｘと、前記補助アームの残部から成る非重合部Ｙとの比率が、ほぼＹ／Ｘ＝１／２或いはＹ／Ｘ＜１／２になるように、前記補助アームが設けられていることを特徴とする上記（１）乃至（３）の何れかに記載のハンガー。
【００１２】
（５）  前記主アームは２つ設けられ、線対象となる方向へ延出しており、
一の主アームの先端と、他の主アームの先端との間の距離が、ほぼ３２ｃｍとなるように形成されていることを特徴とする上記（１）乃至（３）の何れかに記載のハンガー。
【考案の効果】
【００１３】
上述した本考案によれば、補助アームは主アームに対して回動自在に設けられており、その結果、上方から見たハンガー全体の長さが、補助アームの回転動作に伴って拡縮するようになっている。このようにハンガー全体の長さを自在に拡縮できるように構成することにより、首周りの狭い衣服（Ｔシャツ等）であっても襟元部分を引き伸ばすことなく、ハンガーを首穴から挿入してショルダー部をアームで支えることが可能になる。
【００１４】
また、補助アームは、主アームの長さを補うように該主アームの先端側に延設され、該主アームと協働して衣服のショルダー部を支持するようになっている。したがって、衣服をハンガーに掛けた状態では、従来のハンガーと同様に衣服を形良く（すなわち型崩れを起こさないように）支えることが可能になる。
【００１５】
よって、本考案に係るハンガーによれば、従来と同様に衣服を良好に支持することができるといった効果に加えて、首周りの狭い衣服であっても型崩れを起こさないように円滑に首穴に挿入できるといった効果が達成される。
【考案を実施するための最良の形態】
【００１６】
以下、図１〜図３に基づいて、本考案に係るハンガーについて詳細に説明する。
図１は、本考案に係るハンガー１を示す斜視図である。
図２は、図１のハンガー１を示す正面図である。
図３は、図２のＡ方向から見たハンガー１の端を拡大して示す上面図である。
【００１７】
衣服を掛けるためのハンガー１は、主として、ハンガー本体３と、該本体に対して回動自在に設けられた細長の補助アーム５とを有している。ハンガー本体３は、左右両側に延出した主アーム３１，３２と、該主アーム３１，３２の中間に設けられたフック３５とを有している。
【００１８】
主アーム３１，３２は、衣服のショルダー部（肩部分）を支える役割を担っており、線対象の関係になるように左右両方向へ延出している。主アーム３１，３２の形状や寸法は特に限定されないが、主アーム３１，３２の先端間の距離（図２の寸法ａ）が、ほぼ３２ｃｍとなるように形成されていることが好ましい。
【００１９】
補助アーム５は、主アーム３１，３２と協働して衣服のショルダー部を支える役割を担っており、主アーム３１，３２の先端側に回動自在に延設されている。このように補助アーム５を主アーム３１，３２に対して回動自在に設けることにより、上方から見たハンガー全体の長さが、補助アームの回動に伴って拡縮するようになる。図２において、ハンガー全体の長さが最大状態での補助アームの位置を実線で示し、最小状態での補助アームの位置を仮想線で示す。
【００２０】
ハンガー全体の長さが最大の状態において、該ハンガー１を上方（図２において矢印Ａ方向）から見ると、重合部Ｘの寸法と非重合部Ｙの寸法との関係は、Ｘ＞Ｙとなる（図３参照）。また、考案者の実験によれば、衣服を形良く安定的に掛ける観点からは、重合部Ｘの寸法と非重合部Ｙの寸法との関係は、ほぼＹ／Ｘ＝１／２或いはＹ／Ｘ＜１／２であることが好ましい。
なお、上記説明において「重合部Ｘ」とは、主アーム３１（３２）の一部と補助アーム５の一部とが重なり合う部分を意味する。また、「非重合部Ｙ」とは、主アーム３１（３２）と重なり合うことのない補助アーム５の残部を意味する。
【００２１】
次に、首周りの狭いＴシャツを例に挙げて、図４を参照しながら本考案に係るハンガー１の作用について説明する。
【００２２】
ハンガー１にＴシャツ７を掛ける際には、従来のハンガーと同様に、図４（Ａ）に示すように首穴７１からハンガー１を挿入する。そのとき、延設された補助アーム５は、Ｔシャツ７の襟元部分７３に接触して回転するようになっている。よって、従来のハンガーと比較して短めに作られたハンガー本体３を、襟元部分７３を引き伸ばすことなく余裕を持って首穴７１に挿入することができる。
【００２３】
ハンガー１の挿入が完了したら、Ｔシャツ７を支えた状態のハンガー１を任意の箇所に掛ける。すると、ショルダー部７５を介してＴシャツ７の荷重がハンガー１に作用する。その結果、図４（Ｂ）に示すように、主アーム３１，３２と補助アーム５がほぼ一直線に並んで、協働してＴシャツ７のショルダー７５を支えるようになる。
【００２４】
なお、図４（Ｂ）に示す状態では、非重合部Ｙに比して重合部Ｘにより多くの荷重が作用するようになっている（Ｘ＞Ｙのため）。よって、Ｔシャツ７の荷重が作用した状態では、主アーム３１，３２と補助アーム５がほぼ一直線に並んだバランス状態を崩すことなく、Ｔシャツ７を形良く（すなわち型崩れを起こすことなく）支えることができる。
【００２５】
上述した本考案によれば、首周りの狭い衣服（Ｔシャツ等）であっても襟元部分を引き伸ばすことなく、ハンガー１を首穴から挿入してショルダー部をアーム３１，３２，５で支えることが可能になる。しかも、衣服をハンガー１に掛けた状態では、従来のハンガーと同様に衣服を形良く支えることが可能になる。よって、本考案に係るハンガーによれば、従来と同様に衣服を良好に支持することができるといった効果に加えて、首周りの狭い衣服であっても型崩れを起こさないように円滑に首穴に挿入できるといった効果が達成される。
【００２６】
なお、上述した実施形態は一例であるから、本考案の構成は上記実施形態に限定されない。たとえば、各主アームに延設すべき補助アームの数は、必ずしも２本に限定されず、１本であってもよい。
【００２７】
また、本考案に係るハンガーは、図５に示すように針金から構成されてもよい。この場合のハンガーは、１本の針金を曲げ加工して成るハンガー本体と、該本体に対して回動自在に設けられた針金製の補助アームとを有している。
【産業上の利用可能性】
【００２８】
本考案は、従来と同様に衣服を良好に支持することが可能であって、首周りの狭い衣服であっても型崩れを起こさないように円滑に首穴に挿入できるハンガーを提供するのに好適である。
【図面の簡単な説明】
【００２９】
【図１】本考案に係るハンガーを示す斜視図である。
【図２】図１のハンガーを示す正面図である。
【図３】図２のＡ方向から見たハンガーの端を拡大して示す上面図である。
【図４】図１のハンガーの具体的使用態様を示す図である。
【図５】本考案に係るハンガーの変形例を示す斜視図である。
【図６】従来のハンガーを示す斜視図である。
【符号の説明】
【００３０】
１              ハンガー
３              ハンガー本体
３１            主アーム
３２            主アーム
３５            フック
５              補助アーム
７              Ｔシャツ
７１            首穴
７３            襟元部分
７５            ショルダー部
【図１】
0003111117.tif 000003
【図２】
0003111117.tif 000004
【図３】
0003111117.tif 000005
【図４】
0003111117.tif 000006
【図５】
0003111117.tif 000007
【図６】
0003111117.tif 000008